(57)【要約】      （修正有）【課題】ネクタイを使用せず第１番目のボタンも外してシャツを着用した場合において、襟部が立っている状態を維持して襟元が開きすぎるのを防止したシャツの襟部固定具を提供する。【解決手段】一対で設けられた表面固定具１と裏面固定具２が、いずれも内部にマグネット３，４を備えたものであり、表面固定具１を襟部に装着し裏面固定具２を表面固定具１の裏面に身頃を介して吸着させる。固定具は襟部が立っている状態を維持し襟元の開きすぎを防止する。表面固定具１の裏面に固定具止めピン７を設け、裏面固定具２の中心部に止めピン受穴８を設け、表面固定具１を襟部に装着した時、固定具の位置がずれるのを防止できる。【選択図】図１
0003144454.tif 000002
【実用新案登録請求の範囲】
【請求項１】
一対で設けられた表面固定具（１，１０１）と裏面固定具（２，１０２）が、いずれも内部にマグネット（３，４，１０３，１０４）を備えたものであって、上記表面固定具を襟部に装着し、上記裏面固定具を当該表面固定具の裏面に襟部及び身頃を介して吸着させることにより、襟部が立った状態を維持して襟元の開きすぎを防止することを特徴とするシャツの襟部固定具。
【請求項２】
表面固定具（１）の裏面に固定具止めピン（７）を設け、裏面固定具（２）の中心部に止めピン受穴（８）を設けたことを特徴とする請求項１に記載のシャツの襟部固定具。
【請求項３】
表面固定具（１０１）が、固定具主体（１０１ａ）と表面装飾体（１０１ｂ）とからなり、両者が側面視Ｕ字状を呈する挟持バネ部材（１０１ｃ）を介して結合されており、上記固定具主体と上記表面装飾体が当該挟持バネ部材によって互いに近づく方向に付勢されていることを特徴とする請求項１に記載のシャツの襟部固定具。
【請求項４】
表面固定具（１，１０１）と裏面固定具（２，１０２）は、カバー部材（５，６，１０５，１０６）を有しており、マグネット（３，４，１０３，１０４）が上記カバー部材によって覆われていることを特徴とする請求項１に記載のシャツの襟部固定具。
【考案の詳細な説明】
【技術分野】
【０００１】
本考案は、シャツの襟部固定具に関するものであり、さらに詳しくは、ネクタイを使用せずに、さらに第１番目のボタンも外して着用した場合に、襟部が立っている状態を維持して襟元が開きすぎるのを防止したシャツの襟部固定具に関している。
【背景技術】
【０００２】
近年は、ネクタイを使用するタイプのシャツであっても、ネクタイを外し、その上、第１番目のボタンも外して着用することが多くみられる。しかし、ネクタイを外した姿は、襟部が寝てしまうために襟元が開きすぎてしまい決して美しいものではなく、むしろ、見た目は些かだらしなく感ずるものであったが、現状は何ら改良されることなく放置されている状況にある。
【０００３】
従来技術には、シャツの止め部分にボタンに替えて一対のマグネットを装着してシャツを止めるシャツ止め装置（特許文献１）、また、シャツの襟部に、夏期は吸汗用合せ襟、冬期は保温用合せ襟をマグネットにより着脱自在に吸着させる合せ襟装置（特許文献２）が知られている。
【特許文献１】実開平５−７２９０１号公報
【特許文献１】特開２００１−３３６０１１号公報
【０００４】
特許文献１に記載されたシャツ止めは、シャツの止め部分となるボタンならびにボタン穴に相当する位置に一対のマグネットを装着し、シャツの止め部をマグネットの吸着力により固定するものである。なお、シャツの表面に設けたボタンはそのまま残しておき、あたかもボタンによりシャツが止められているような印象を与えることができるというものである。
【０００５】
上記文献に記載のシャツ止めは、シャツの前面がマグネットの吸着力により閉塞されるものであるから、開閉動作が簡単に行える特徴があるが、襟元に関しては何らの配慮がなされていない。すなわち、明細書には第１番目のボタンは設置されたままにしておくと説明されているとおり、第１番目のボタンを外して着用することが予想されるが、この場合は襟部が寝てしまい襟元が開きすぎるという問題を解消できないでいる。
【０００６】
また、特許文献２に記載された吸汗と保温用の合せ襟装置は、夏用としての吸汗襟と冬用としての保温襟を交換可能にしたものであるが、この場合も、襟元の開きすぎを抑止するものではない。
【０００７】
従来技術においては、ネクタイを使用しないでシャツを着用した場合、襟元が必要以上に開いてしまい、見た目がだらしなく感ずるのを防止する装置又は器具は開発されていなかった。
【考案の開示】
【考案が解決しようとする課題】
【０００８】
本考案が解決しようとする課題は、ネクタイを使用せず第１番目のボタンも外してシャツを着用した場合において、襟部が立った状態を維持することによって襟元が開きすぎるのを防止したシャツの襟部固定具を提供することである。
【課題を解決するための手段】
【０００９】
解決手段の第１は、一対で設けられた表面固定具と裏面固定具が、いずれも内部にマグネットを備えたものであって、上記表面固定具を襟部に装着し、上記裏面固定具を当該表面固定具の裏面に襟部及び身頃を介して吸着させることにより、襟部が立った状態を維持して襟元の開きすぎを防止することを特徴とするものである。
【００１０】
解決手段の第２は、解決手段の第１において、表面固定具の裏面に固定具止めピンを設け、裏面固定具の中心部に止めピン受穴を設けたことを特徴とするものである。
【００１１】
解決手段の第３は、解決手段の第１において、表面固定具が、固定具主体と表面装飾体とからなり、両者が側面視Ｕ字状を呈する挟持バネ部材を介して結合されており、上記固定具主体と上記表面装飾体が当該挟持バネ部材によって互いに近づく方向に付勢されていることを特徴とするものである。
【００１２】
解決手段の第４は、解決手段の第１において、表面固定具と裏面固定具は、カバー部材を有しており、マグネットが上記カバー部材によって覆われていることを特徴とするものである。
【考案の効果】
【００１３】
請求項１は、表面固定具と裏面固定具がいずれもマグネットを備えており、表面固定具と裏面固定具を襟部分の表面と身頃との間に装着して互いに吸着させることにより、ネクタイを外し第１番目のボタンを外してシャツを着用した場合であっても、襟部が立っている状態を維持して襟元が開きすぎるのを防止でき、体裁よくシャツを着用することができる効果を奏するものである。
【００１４】
請求項２は、表面固定具の裏面に固定具止めピンを設け、裏面固定具の中心部に止めピン受穴を設けたものであるから、表面固定具を襟部に固定具止めピンを刺して固定するものであるから、使用中に固定具の位置がずれたりするのを防止できるものである。
【００１５】
請求項３は、表面固定具が固定具主体と表面装飾体とからなり、両者が側面視Ｕ字状を呈する挟持バネ部材を介して結合されているから、表面固定具を襟部に装着した場合に挟持バネ部材が当該襟部を挟持しているので、固定用のピンを備えていないが使用中に固定具の位置がずれたりすることがない。
【００１６】
請求項４は、表面固定具と裏面固定具が、マグネットを覆うカバー部材を有しており、当該カバー部材は表面に装飾模様を施すことができるので、表面固定具に装飾模様を施して襟部表面に装着した場合は、固定具がシャツのアクセサリーとなる効果を発揮するものである。
【考案を実施するための最良の形態】
【００１７】
第１実施例
図１から図３が第１実施例を示しており、図１Ａはシャツの襟部に本考案の襟部固定具を装着した状態を示す斜視図、図１Ｂは襟部固着具が装着されている部分の断面図、図２は襟部固定具の部材を示す斜視図、図３は同部材の断面図である。
【００１８】
これらの図において、本考案の襟部固定具は、表面固定具１と裏面固定具２が一対で設けられたものであって、いずれの固定具も内部にマグネット３，４を備えているものである。すなわち、表面固定具１はカバー部材５内に上記マグネット３を収容し、裏面固定具２もカバー部材６内に上記マグネット４を収容したものであって、表面固定具１と裏面固定具２とは、互いに襟部及び身頃を介して吸着させるものである。
【００１９】
実施形態において、各固定具のカバー部材５，６は、マグネット３，４の片面のみを覆った構造としているが、カバー部材５，６が当該マグネット３，４の全面を覆うようにすることができることは言うまでもない。また、実施形態のカバー部材５，６は、無模様であるが、いずれの固定具も表面に装飾模様を施すことが出来るものである。
【００２０】
また、上記表面固定具１には、裏面に固定具止めピン７が設けられており、一方、上記裏面固定具２には中心部に止めピン受穴８が設けられている。ここで、固定具止めピン７は表面固定具１の襟部などに刺して使用するものであり、また、裏面固定具２の止めピン受穴８は、固定具止めピン７がシャツから突出している場合に当該ピン７の先端を収容するためのものである。なお、固定具止めピン７は、表面固定具１をシャツに装着した時の脱落防止となるものである。ただし、当該固定具止めピン７の長さは、必ずしもシャツの襟部を貫通する長さに形成する必要はない。
【００２１】
明細書において、表面固定具１及び裏面固定具２の「表面」とは、一対で設けられた各固定具を襟部に吸着させた時に、いずれもシャツの外面に現れる面を言う。また、表面固定具１及び裏面固定具２の「裏面」とは互いの吸着面を言う。
【００２２】
次に第１実施例の使用手順を説明する。まず、表面固定具１をシャツ２００の襟部２０１に装着する。表面固定具１の取付け位置は任意であり、例えば、ボタンダウンとして知られるボタンの取付け位置、すなわち襟部の先端位置に固定具止めピン７を刺して当該表面固定具１を装着する（図１Ａ）。表面固定具１は、固定具止めピン７がシャツに刺し込まれて装着されるから、装着位置が固定的になるものであり、使用中に装着位置がずれたりすることがない。次いでシャツ２００の身頃２０２に裏面固定具２を装着し、自身が備えるマグネット４を上記表面固定具１のマグネット３に吸着させる（図１Ｂ）。
【００２３】
なお、表面固定具１を襟部２０１に装着した時に固定具止めピン７の先端が襟部２０１から突出しても、固定具止めピン７の先端は、止めピン受穴８に挿入されるから安全性が確保されている。ここで、表面固定具１及び裏面固定具２の両者は、内蔵したマグネット３，４が襟部２０１及び身頃２０２を介して互いに吸着されるものである。
【００２４】
以上説明したように、第１実施例において固定具を使用した場合は、シャツ２００の第１番目のボタンを外して着用した場合であっても、襟部が立っている状態を維持することができるので、襟元が必要以上に開いてしまうことがなく、見た目がだらしなく感ずるのを防止し得るものである。なお、実施形態では、固定具を襟の先端位置に装着したので、襟の開口部が立っているが、固定具を図示した位置よりやや後方に装着した場合は、装着位置で襟部を立たせることができるものである。要するに、固定具は装着した任意の位置で襟部が立った状態を維持できるものであり、その結果として襟元が開きすぎるのを防止できるものである。
【００２５】
第２実施例
図４から図６が第２実施例を示しており、図４Ａはシャツの襟部に本考案の襟部固定具を装着した状態を示す斜視図、図４Ｂは襟部固定具が装着されている部分の断面図、図５は襟部固定具の部材を示す斜視図、図６は同部材の断面図である。
【００２６】
これらの図において、表面固定具１０１が第１実施例と異なっており、固定具止めピンに替えてスプリング効果を奏する圧着部材を設けたものである。
【００２７】
第２実施例は、第１実施例と実質的に異なるところがないから、第１実施例について説明した符号に「１００」を付加しており、第１実施例の部材と同じ部材については詳細な説明を省略した。
【００２８】
上記したように第２実施例は表面固定具１０１の構造に特徴がある。すなわち、表面固定具１０１は、固定具主体１０１ａと表面装飾体１０１ｂとからなり、両者は側面視Ｕ字状を呈する挟持バネ部材１０１ｃを介して結合されており、上記固定具主体１０１ａと表面装飾体１０１ｂが当該挟持バネ部材１０１ｃによって互いに近づく方向に付勢されているものである。
【００２９】
実施形態において、固定具主体１０１ａと表面装飾体１０１ｂを結合した挟持バネ部材１０１ｃは、２本の線状部材であるが本数は任意である。また、表面装飾体１０１ｂは表面に各種の装飾模様を施すことができるものである。なお、表面装飾体１０１ｂが環状体である必要がないことは勿論である。この他、表面固定具１０１の固定具主体１０１ａ及び裏面固定具１０２は、カバー部材１０５，１０６を有しており、マグネット１０３，１０４が当該カバー部材１０５，１０６内に収容されている。
【００３０】
第２実施例の使用手順は以下のとおりである。表面固定具１０１の固定位置は第１実施例の場合と同じであるが、固定具主体１０１ａは、表面装飾体１０１ｂがシャツの外面に現れるように襟部２０１を挟んで装着する（図４Ａ）。次いでシャツ２００の身頃２０３に裏面固定具１０２を、自身が備えるマグネット１０４を上記表面固定具１０１のマグネット１０３に吸着させる（図４Ｂ）。これにより、シャツ２００は、第１番目のボタンを外して着用した場合であっても、襟部が立っている状態を維持することができるので、襟元が必要以上に開いてしまうことが防止できる。
【００３１】
第２実施例においては、表面固定具１０１に固定用のピンを備えていないが、マグネット１０３を有する固定具主体１０１ａが襟部２０１の裏面に装着されるので、当該マグネット１０３は、裏面固定具１０２のマグネット１０４と身頃２０２のみを介して吸着されることになり、表面固定具１０１が挟持バネ部材１０１ｃによって挟着されていることと相俟って、強力な吸着力が作用し通常の使用では装着位置がずれたりすることはない。
【００３２】
以上説明したように、第２実施例の場合も、固定具を使用した場合は、シャツ２００の第１番目のボタンを外して着用した場合であっても、襟部が立っている状態を維持することができ、襟元が必要以上に開くことがないので、見た目がだらしなく感ずるのを防止し得るものである。また、第２実施例においても、固定具の装着位置は任意であり、装着した位置で襟部が立った状態を維持することができるものである。
【図面の簡単な説明】
【００３３】
【図１】第１実施例を示しており、Ａはシャツの襟元に本考案の襟部固定具を装着した状態を示す斜視図、Ｂは襟部固定具が装着されている部分の断面図。
【図２】第１実施例における襟部固定具の部材を示す斜視図。
【図３】図２に示す部材の断面図。
【図４】第２実施例を示しており、Ａはシャツの襟元に本考案の襟部固定具を装着した状態を示す斜視図、Ｂは襟部固定具が装着されている部分の断面図。
【図５】第２実施例における襟部固定具の部材を示す斜視図。
【図６】図５に示す部材の断面図。
【符号の説明】
【００３４】
１，１０１  表面固定具
１０１ａ  固定具主体
１０１ｂ  表面装飾体
１０１ｃ  挟持バネ部材
２，１０２  裏面固定具
３，４，１０３，１０４  マグネット
５，６，１０５，１０６  カバー部材
７  固定具止めピン
８  止めピン受穴
２００  シャツ
２０１  襟部
２０２  身頃
【図１】
0003144454.tif 000003
【図２】
0003144454.tif 000004
【図３】
0003144454.tif 000005
【図４】
0003144454.tif 000006
【図５】
0003144454.tif 000007
【図６】
0003144454.tif 000008